(57)【要約】【課題】折り畳んだ状態で、持ち運びやすく、かつ、収納時に嵩張ることがないバリケード構成体及びバリケードを提供すること。【解決手段】中空のガードバー２と、ガードバー２を支持する支持体３とを備え、支持体３をガードバー２の端部２ａの開口からガードバー２内に収納可能に構成するとともに、支持体３をガードバー２の端部２ａの開口から引き出し、支持体３の基端部３０をガードバー２の端部２ａに位置させた状態で、支持体３の基端部３０に揺動可能に接続された支持体３の本体部３１をガードバー２に対して折曲させ、かつ、支持体３の本体部３１を構成する脚部３２、３２を開脚して接地状態となるようする。  そして、バリケード１は、上記バリケード構成体１０を複数台、バリケード構成体１０のガードバー２、２同士を接続部材４を介して接続することにより、一体化して構成する。【選択図】図１
2013019140.tif 000002
【特許請求の範囲】
【請求項１】
中空のガードバーと、該ガードバーの支持体とを備えたバリケード構成体であって、支持体をガードバーの端部開口からガードバー内に収納可能に構成するとともに、支持体をガードバーの端部開口から引き出し、支持体の基端部をガードバーの端部に位置させた状態で、支持体の基端部に揺動可能に接続された支持体の本体部をガードバーに対して折曲させ、かつ、支持体の本体部を構成する脚部を開脚して接地状態となるようにしたことを特徴とするバリケード構成体。
【請求項２】
ガードバーの端部開口を絞って、支持体の基端部をガードバーの端部開口から引き出せないように、かつ、脚部の先端に形成した接地部をガードバーの端部開口からガードバー内に入り込まないようにしたことを特徴とする請求項１記載のバリケード構成体。
【請求項３】
ガードバーに、バリケード付帯設備を巻き取り可能に装着したことを特徴とする請求項１又は２記載のバリケード構成体。
【請求項４】
ガードバーの一方の側に支持体を備えたことを特徴とする請求項１、２又は３記載のバリケード構成体。
【請求項５】
ガードバーの両側に支持体を備えたことを特徴とする請求項１、２又は３記載のバリケード構成体。
【請求項６】
請求項１、２、３、４又は５記載のバリケード構成体を複数台、該バリケード構成体のガードバー同士を接続部材を介して接続することにより、一体化してなることを特徴とするバリケード。
【請求項７】
接続部材を、ガードバーの外側を抱持するように構成するとともに、該接続部材に道路付帯設備の装着部を形成したことを特徴とする請求項６記載のバリケード。
【発明の詳細な説明】
【技術分野】
【０００１】
本発明は、バリケード構成体及びバリケードに関し、特に、道路・建設工事現場や祭事等を行う際の立入禁止区域等を区画分けする際に用いて、安全を確保するためのバリケード構成体及びこのバリケード構成体を複数台接続することにより一体化して構成するバリケードに関するものである。
【背景技術】
【０００２】
道路・建設工事現場や祭事等を行う際の立入禁止区域等を区画分けする際に用いて、安全を確保するためのバリケードとして、ガードバーと、円錐状の支持体とから構成し、ガードバーの両端部に形成した取付孔を円錐状の支持体の頂部に嵌め込んで、ガードバーを架け渡すようにして略水平に支持し、区画する箇所に設置されるバリケードが汎用されている。
このバリケードは、ガードバーを支持体から取り外すことにより、容易に運搬することができるものの、運搬時に円錐状の支持体が嵩張るという問題があるとともに、設置時に支持体をガードバーの長さに合わせて位置合わせしながら配置する必要があり、また、設置後にガードバーが支持体から容易に外れてしまうという問題があった。
【０００３】
係る問題に対処するために、ガードバーと支持体とを揺動可能に連結した折り畳み式のバリケードが提案されている（例えば、特許文献１参照。）。
【０００４】
この折り畳み式のバリケードは、ガードバーの両端部に支持体の基端部を揺動可能に取り付け、支持体を、ガードバーに沿った状態からガードバーに対して直交する状態に揺動するように構成するとともに、支持体の先端部に接地脚の中心部を揺動可能に取り付けて、支持体をガードバーに直交させた状態で、接地脚を支持体に直交させて地面に設置し、ガードバーを支持体の高さ位置で水平に支持するようにしている。
そして、収納時や運搬時には、接地脚を支持体と沿うように折り畳むとともに、支持体をガードバーに沿った状態に折り畳むようにしている。
【０００５】
ところで、この折り畳み式のバリケードを折り畳んだ状態では、ガードバーに支持体と接地脚が沿った状態となり、持ち運びにくく、また、収納時に嵩張るという問題があった。
【先行技術文献】
【特許文献】
【０００６】
【特許文献１】特開平１０−１８２４８号公報
【発明の概要】
【発明が解決しようとする課題】
【０００７】
本発明は、上記従来のバリケードの有する問題点に鑑み、折り畳んだ状態で、持ち運びやすく、かつ、収納時に嵩張ることのないバリケード構成体及びバリケードを提供することを目的とする。
【課題を解決するための手段】
【０００８】
上記目的を達成するため、本発明のバリケード構成体は、中空のガードバーと、該ガードバーの支持体とを備えたバリケード構成体であって、支持体をガードバーの端部開口からガードバー内に収納可能に構成するとともに、支持体をガードバーの端部開口から引き出し、支持体の基端部をガードバーの端部に位置させた状態で、支持体の基端部に揺動可能に接続された支持体の本体部をガードバーに対して折曲させ、かつ、支持体の本体部を構成する脚部を開脚して接地状態となるようにしたことを特徴とする。
【０００９】
この場合において、ガードバーの端部開口を絞って、支持体の基端部をガードバーの端部開口から引き出せないように、かつ、脚部の先端に形成した接地部をガードバーの端部開口からガードバー内に入り込まないようにすることができる。
【００１０】
また、ガードバーに、バリケード付帯設備を巻き取り可能に装着することができる。
【００１１】
また、ガードバーの一方の側に支持体を備えることができる。
【００１２】
また、ガードバーの両側に支持体を備えることができる。
【００１３】
また、同じ目的を達成するため、本発明のバリケードは、前記バリケード構成体を複数台、該バリケード構成体のガードバー同士を接続部材を介して接続することにより、一体化してバリケードを構成するようにしたことを特徴とする。
【００１４】
また、この場合において、接続部材を、ガードバーの外側を抱持するように構成するとともに、該接続部材に道路付帯設備の装着部を形成することができる。
【発明の効果】
【００１５】
本発明のバリケード構成体及びバリケードによれば、中空のガードバーと、該ガードバーの支持体とを備えたバリケード構成体であって、支持体をガードバーの端部開口からガードバー内に収納可能に構成するとともに、支持体をガードバーの端部開口から引き出し、支持体の基端部をガードバーの端部に位置させた状態で、支持体の基端部に揺動可能に接続された支持体の本体部をガードバーに対して折曲させ、かつ、支持体の本体部を構成する脚部を開脚して接地状態となるようにしたことにより、運搬時や倉庫への収納時に、支持体の基端部に揺動可能に接続された本体部を構成する脚部が、中空のガードバーの内部に収納され、持ち運びやすい太さで、かつ、収納時に嵩張ることのないバリケード構成体を提供することができる。
また、このバリケード構成体を複数台、該バリケード構成体のガードバー同士を接続部材を介して接続して一体化することにより、バリケードを構成するようにしたから、バリケード構成体を順次接続していくことによって、設置時に支持体の位置合わせをすることなく、現場で所望の長さのバリケードを設置することができる。
【００１６】
また、ガードバーの端部開口を絞って、支持体の基端部をガードバーの端部開口から引き出せないように、かつ、脚部の先端に形成した接地部をガードバーの端部開口からガードバー内に入り込まないようにすることにより、支持体が運搬中にガードバーから抜け落ちることがなく、また、脚部の先端に形成した接地部を掴んで、容易に支持体をガードバーから引き出すことができる。
【００１７】
また、ガードバーに、バリケード付帯設備を巻き取り可能に装着することにより、バリケード付帯設備、例えば、注意喚起の文字や図柄等を表示した表示幕等を別に用意して、バリケード構成体に取り付けることなく、支持体をガードバーから引き出し、バリケードとして現場に設置した後、巻回した表示幕等のバリケード付帯設備を引き延ばすことで、その表示を可能とすることができる。
【００１８】
また、ガードバーの一方の側に支持体を備えることにより、ガードバーの長さを支持体の長さと同程度して、小型軽量化を図ることができる。
【００１９】
また、ガードバーの両側に支持体を備えることにより、１台のバリケード構成体でバリケードを構成することができる。
【００２０】
また、バリケード構成体を接続する接続部材を、ガードバーの外側を抱持するように構成するとともに、該接続部材に道路付帯設備の装着部を形成することにより、例えば、点滅灯や表示板等の道路付帯設備を簡単にバリケードに装着することができる。
【図面の簡単な説明】
【００２１】
【図１】本発明のバリケード構成体及びバリケードの第１実施例の斜視図で、（ａ）は支持体をガードバーの内部から引き出し、本体部をガードバーに対して略９０度揺動させた状態を、（ｂ）はガードバーの端部に接続部材を取り付けた状態を、（ｃ）は接続部材を介して、２台のバリケード構成体を接続するとともに、接続部材に道路付帯設備を装着した状態を示す。
【図２】このバリケード構成体からバリケードを構成する手順を説明する斜視図で、（ａ）は、支持体をガードバーの内部から引き出す前の状態を、（ｂ）は支持体をガードバーの内部から引き出した状態を示す。
【図３】図２に続く説明図で、（ａ）は支持体の本体部をガードバーに対して略９０度揺動させた状態を、（ｂ）は本体部を構成する脚部を開脚させた状態を示す。
【図４】図３に続く説明図で、接続部材を介して、２台のバリケード構成体を接続するとともに、接続部材に道路付帯設備を装着した状態のバリケードを示す。
【図５】本発明のバリケード構成体の第２実施例を示す斜視図である。
【図６】同バリケード構成体の別の構成例を示す斜視図である。
【図７】本発明のバリケード構成体の第３実施例を示し、（ａ）は側面図、（ｂ）は（ａ）の一部切り欠きのＸ−Ｘ断面図、（ｃ）は傾倒防止部材の一部切り欠き断面の正面図である。
【図８】傾倒防止部材を取付部材に取り付けた状態を示す説明図で、（ａ）は一部切り欠きの正面図、（ｂ）は側面図である。
【発明を実施するための形態】
【００２２】
以下、本発明のバリケード構成体及びバリケードの実施の形態を、図面に基づいて説明する。
【実施例１】
【００２３】
図１〜図４に、本発明のバリケード構成体及びバリケードの第１実施例を示す。
このバリケード構成体１０は、中空のガードバー２と、ガードバー２を支持する支持体３とを備え、支持体３をガードバー２の端部２ａの開口からガードバー２内に収納可能に構成するとともに、支持体３をガードバー２の端部２ａの開口から引き出し、支持体３の基端部３０をガードバー２の端部２ａに位置させた状態で、支持体３の基端部３０に揺動可能に接続された支持体３の本体部３１をガードバー２に対して折曲させ、かつ、支持体３の本体部３１を構成する脚部３２、３２を開脚して接地状態となるようにしている。
そして、本発明のバリケード１は、上記バリケード構成体１０を複数台、バリケード構成体１０のガードバー２、２同士を接続部材４を介して接続することにより、一体化して構成するようにしている。
このように接続することにより、設置時に支持体３の位置合わせをすることなく、現場で所望の長さのバリケード１を設置することができる
【００２４】
中空のガードバー２は、内部に支持体３が収納可能な空間を有する形状であれば、その断面形状は、円形、多角形の何れであっても構わず、特に限定されるものではないが、本実施例においては、断面形状が円形の円筒形状を採用するようにしている。
【００２５】
支持体３は、基端部３０と本体部３１とから構成され、さらに、本体部３１は、脚部３２を構成要素として包含する。
本体部３１は、一端を、枢軸を介して基端部３０に揺動可能に配設される揺動体３３と、この揺動体３３の他端に揺動可能に配設される脚部３２、３２で構成されている。
揺動体３３は、ガードバー２に対して略９０度揺動したところで、係止部材（図示省略）によって、係止され、所定以上の力を加えること無しに折曲した状態からガードバー２と平行な状態に戻らないように構成されている。
【００２６】
また、脚部３２、３２の中間部に、基端３５ａが枢軸を介して揺動可能となるように取り付けられるとともに、先端３５ｂ、３５ｂ同士が枢軸を介して揺動可能となるように接続されて、リンク機構を構成するように脚部３２、３２を連結する規制体３５を配設するようにしている。
これによって、脚部３２、３２の開脚の角度が規制される。
【００２７】
ガードバー２は、ガードバー２の端部２ａの開口を絞って、支持体３の基端部３０をガードバー２の端部２ａの開口から引き出せないようにして、支持体３が運搬中にガードバー２から抜け落ちることがないように構成されている。
また、脚部３２の先端に形成した接地部３２ａをガードバー２の端部２ａの開口からガードバー２内に入り込まないように、具体的には、接地部３２ａを脚部３２の外径よりもより太くして、脚部３２、３２を閉脚して揃えたときに、脚部３２の揃えた部分がガードバー２の端部２ａの開口よりも太くなるようしたり、ガードバー２の内部に収納されている基端部３０の移動を制限する（例えば、ガードバー２の長さよりも収納する支持体３の長さを長くして、脚部３２がガードバー２の端部２ａから突出するように構成する）ようにしたりすることによって、ガードバー２内に入り込まないようにして、脚部３２の先端に形成した接地部３２ａを掴んで、容易に支持体３をガードバー２から引き出すことができるように構成している。
【００２８】
支持体３は、ガードバー２の一方の側にのみ備えることも両側に備えることもできる。
ガードバー２の一方の側にのみ支持体３を備えることにより、ガードバー２の長さを支持体３の長さと同程度して、小型軽量化を図ることができる。
また、ガードバー２の両側に支持体３を備えることにより、１台のバリケード構成体１０で１基のバリケード１を構成することができる。
【００２９】
本発明のバリケード構成体１０からバリケード１を構成するために、バリケード構成体のガードバー同士を接続する接続部材４は、バリケード構成体１０のガードバー２の端部同士を接続することができるものであれば、特に限定されるものではないが、本実施例においては、ガードバー２の外側を抱持するように構成するとともに、この接続部材４に道路付帯設備５を装着する装着部４０を形成するようにしている。
【００３０】
接続部材４は、ガードバー２の端部２ａのうち、支持体３が備えられていない側同士を接続して、図４に示すように、２台のバリケード構成体１０によって、１基のバリケード１を構成する他、ガードバー２の端部２ａのうち、支持体３が備えられていない側と、支持体３が備えられている側とを接続し、３台以上のバリケード構成体１０を接続して１基のバリケード構成することもできる。
支持体３が備えられていない側と、支持体３が備えられている側とを接続する場合、円筒状の接続部材４の一方の端部から中心に向かって、支持体３が干渉することなくガードバー２の外側を抱持することができるように、切欠部分（図示省略）を形成するようにしている。
また、接続部材４によって、ガードバー２同士を接続した後、ネジ等からなる押圧部材４１を用いて、接続部材４の外周面からガードバー２の端部を押圧して固定するように構成することが好ましい。
【００３１】
道路付帯設備５は、点滅灯や表示板等、バリケード１で区画する工事現場等の存在を通行人に対して注意喚起する設備や迂回経路の案内表示等、特に限定されるものではないが、本実施例においては、点滅灯を用いている。
【００３２】
また、装着部４０は、道路付帯設備５を装着することができる構造であれば、特に限定されるものではないが、本実施例においては、図１に示すように、外側に突出する溝部４０ａを形成した筒状に構成するようにしている。
そして、道路付帯設備５の円柱状で外周面に突状部５０ａを形成した取付部５０を装着部４０に挿入して装着するようにしている。
【００３３】
道路付帯設備５の円柱状の取付部５０は、装着部４０の内径よりも若干小径となる差込部分５１と、装着部４０の内径よりも大径で、装着部４０の上面に載置される載置部分５２とから構成する。
そして、取り付けの際には、突状部５０ａを溝部４０ａに合わせながら装着部４０に差込部分５１を挿入し、突状部５０ａが装着部４０を抜けたところで、道路付帯設備５を略９０度回転させ、突状部５０ａを溝部４０ａの直下の位置からずらし、取付部５０の載置部分５２を装着部４０の上面に載置させることによって、道路付帯設備５が容易に接続部材４の装着部４０から脱落しないようにしている。
【００３４】
次に、このバリケード構成体１０からバリケード１を構成する手順を説明する。
なお、本説明においては、ガードバー２の一方の側に支持体３を備えたバリケード構成体１０を２台、接続部材４によって接続してバリケード１を構成する例で説明する。
【００３５】
まず、バリケード構成体１０のガードバー２の端部２ａから突出している支持体３の本体部３１を構成する脚部３２の先端に形成した接地部３２ａを掴んで、支持体３の本体部３１をガードバー２の内部から引き出す（図２（ａ）〜図２（ｂ）参照）。
【００３６】
次に、ガードバー２の内部から引き出した、支持体３の基端部３０に揺動可能に取り付けられている本体部３１の揺動体３３を揺動させ、本体部３１をガードバー２に対して（ガードバー２に対して略９０度揺動した位置まで）折曲させる（図３（ａ）参照）。
【００３７】
そして、折曲させた本体部３１の脚部３２、３２を、屈曲状態の規制体３５、３５が伸長状態となるまで開脚させる（図３（ｂ）参照）。
【００３８】
次に、支持体３が備えられていない側のガードバー２の端部同士を、接続部材４を介して接続する。
このとき、接続部材４の装着部４０に、必要に応じて、道路付帯設備５を装着する（図４参照）。
【００３９】
そして、脚部３２の先端の接地部３２ａを地面に設置させ、支持体３でガードバーを略水平に支持するようにしてバリケード１を構成する。
【実施例２】
【００４０】
図５〜図６に、本発明のバリケード構成体の第２実施例を示す。
このバリケード構成体１０は、第１実施例と同様、中空のガードバー２と、ガードバー２を支持する支持体３とを備え、支持体３をガードバー２の端部２ａの開口からガードバー２内に収納可能に構成するとともに、支持体３をガードバー２の端部２ａの開口から引き出し、支持体３の基端部３０をガードバー２の端部２ａに位置させた状態で、支持体３の基端部３０に揺動可能に接続された支持体３の本体部３１をガードバー２に対して折曲させ、かつ、支持体３の本体部３１を構成する脚部３２、３２を開脚して接地状態となるようにしている。
そして、ガードバー２に、バリケード付帯設備６を巻き取り可能に装着するようにしている。
【００４１】
このバリケード付帯設備６は、例えば、注意喚起の文字や図柄等を表示した表示幕等で、これらを別に用意して、バリケード構成体１０に取り付けることなく、支持体３をガードバー２から引き出し、バリケード１として現場に設置した後、巻回した表示幕等のバリケード付帯設備６を引き延ばすことで、その表示を可能とすることができる。
【００４２】
このバリケード構成体１０の支持体３は、第１実施例と同様に、基端部３０と本体部３１とから構成され、さらに、本体部３１は、脚部３２を構成要素として包含する。
そして、本体部３１は、図５に示すように、第１実施例と同様、一端を、枢軸を介して基端部３０に揺動可能に配設される揺動体３３と、この揺動体３３の他端に揺動可能に配設される脚部３２、３２で構成する他、図６に示すように、支持体３の基端部３０に、枢軸を介して一端側が揺動可能に配設される胴部３４Ａと、この胴部３４Ａの他端側に枢軸を介して揺動可能に配設される脚部３４Ｂ、３４Ｂとから構成することもできる。
【００４３】
この場合、脚部３４Ｂ、３４Ｂは、胴部３４Ａに沿った状態から、約９０〜１３５度の範囲で揺動可能となるように配設し、例えば、１００度揺動した位置で、胴部３４Ａの他端側の枢軸近傍に設けた係止部材（図示省略）によって揺動した脚部３４Ｂ、３４Ｂが停止するように構成されている。
【００４４】
そして、このバリケード構成体１０を複数台、バリケード構成体１０のガードバー２同士を、接続部材４を介して接続することにより、第１実施例と同様に１基のバリケード１を構成することができる。
【００４５】
なお、本実施例のその他の構成及び作用は、上記第１実施例と同様である。
【実施例３】
【００４６】
図７〜図８に、本発明のバリケード構成体の第３実施例を示す。
このバリケード構成体１０は、第１、第２実施例と同様、中空のガードバー２と、ガードバー２を支持する支持体３とを備え、支持体３をガードバー２の端部２ａの開口からガードバー２内に収納可能に構成するとともに、支持体３をガードバー２の端部２ａの開口から引き出し、支持体３の基端部３０をガードバー２の端部２ａに位置させた状態で、支持体３の基端部３０に揺動可能に接続された支持体３の本体部３１をガードバー２に対して折曲させ、かつ、支持体３の本体部３１を構成する脚部３２、３２を開脚して接地状態となるようにしている。
そして、このバリケード構成体１０は、支持体３をガードバー２の両側に備え、支持体３の脚部３２、３２の開脚角度を規制する規制体３５、３５の間に、ガードバー２と略同一長さの傾倒防止部材７を架け渡すようにしている。
【００４７】
支持体３の脚部３２、３２は、本体部３１の揺動体３３が、ガードバー２に対して略９０度揺動したところで、係止部材（図示省略）によって、係止され、所定以上の力を加えること無しに折曲した状態からガードバー２と平行な状態に戻らないように構成されているが、この傾倒防止部材７を規制体３５、３５の間に、架け渡すことによって、係止部材と共に、又は係止部材を備えることなく、揺動体３３及び脚部３２、３２がガードバー２に対して略９０度揺動した状態を確実に保持することができる。
【００４８】
この傾倒防止部材７は、図７に示すように、規制体３５に形成した係合孔３５ｃに係合する棒状体を屈曲して形成した係合部材７１、７１を筒状体７０の両端に配設するようにしている。
この係合部材７１は、規制体３５、３５の間に、架け渡していない状態では、筒状体７０内に配設した引っ張りバネ等の引き込み手段７２によって、先端の屈曲部分以外は筒状体７０の中に収納されている。
【００４９】
そして、傾倒防止部材７を規制体３５、３５の間に、架け渡す際に、筒状体７０から係合部材７１を引き出し、係合孔３５ｃに係合部材７１を係合させる。
係合部材７１は、引き込み手段７２によって筒状体７０内に向かって引っ張り力が付与されているため、一旦、係合孔３５ｃに係合した後は、人手によって係合孔３５ｃから抜き出す方向に力を加えない限り容易に外れることはない。
【００５０】
また、この傾倒防止部材７は、図８に示すように、ガードバー２の外周面に嵌着される短尺の筒状体８０とこの筒状体８０から延設される端部を開放した弾性変形可能な嵌合環８１からなる取付部材８の嵌合環８１に筒状体７０を嵌着して取り付けることができる。
これによって、簡単に傾倒防止部材７をバリケード構成体１０と共に、持ち運んだり、保管・収納することができる。
【００５１】
このように、傾倒防止部材７を、規制体３５、３５の間に、架け渡すことによって、揺動体３３及び脚部３２、３２がガードバー２に対して略９０度揺動した状態を確実に保持することができ、バリケード構成体１０から構成したバリケード１を、道路・建設工事現場や祭事等を行う際の立入禁止区域等を区画分けする際に設置したとき、支持体３の脚部３２、３２が揺動してバリケード１が倒れることがない。
【００５２】
なお、本実施例のその他の構成及び作用は、上記第１、第２実施例と同様である。
【００５３】
以上、本発明のバリケード構成体及びバリケードについて、複数の実施例に基づいて説明したが、本発明は上記実施例に記載した構成に限定されるものではなく、その趣旨を逸脱しない範囲において適宜その構成を変更することができるものである。
【産業上の利用可能性】
【００５４】
本発明のバリケード構成体及びバリケードは、折り畳んだ状態で、持ち運びやすく、かつ、収納時に嵩張ることがないという特性を有していることから、広く、道路・建設工事現場等に用いるバリケード構成体及びこのバリケード構成体を複数台接続することにより一体化して構成するバリケードとして好適に用いることができる。
【符号の説明】
【００５５】
１    バリケード
１０  バリケード構成体
２    ガードバー
３    支持体
３０  基端部
３１  本体部
３２  脚部
３２ａ  接地部
４    接続部材
４０  装着部
５    道路付帯設備
６    バリケード付帯設備
【図１】
2013019140.tif 000003
【図２】
2013019140.tif 000004
【図３】
2013019140.tif 000005
【図４】
2013019140.tif 000006
【図５】
2013019140.tif 000007
【図６】
2013019140.tif 000008
【図７】
2013019140.tif 000009
【図８】
2013019140.tif 000010